(57)【特許請求の範囲】
【請求項１】
被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、該計測血糖値データを該計測月日とともに毎日該記憶手段に記憶し、該計測血糖値データが連続日数閾値を越えた場合にアラーム表示するとともに該医療サイトおよび／または管理栄養士のサイトに計測血糖値のトレンドデータとして自動送信することを特徴とする健康管理システム。
【請求項２】
被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、該計測血糖値データを該計測月日、時間とともに毎日該記憶手段に記憶し、該計測血糖値データは医療サイトおよび／または健康管理支援サイトのサーバーに自動送信され、該計測血糖値データが所定日数閾値を越えた場合にアラーム表示するとともに該被検者に計測血糖値のトレンドデータとして自動送信することを特徴とする健康管理システム。
【請求項３】
前記アラーム表示が行われた場合、該医療サイトから健康食品の指示データが該被検者に送信されることを特徴とする請求項１または２に記載の健康管理システム。
【請求項４】
前記アラーム表示が行われた場合、該医療サイトからカロリー演算された糖尿病食事メニューのデータが該被検者に送信されることを特徴とする請求項１または２に記載の健康管理システム。
【請求項５】
前記医療サイトは、前記被検者から送信されてきた計測血糖値データと過去に蓄積した当該患者の計測血糖値のトレンドデータ並びに過去の療歴データを、前記栄養士のサイトに送信するように構成されていることを特徴とする請求項１または２に記載の健康管理システム。
【請求項６】
前記計測血糖データは、起床直後，食前，食後２時間後の血糖値のうち少なくともいずれかであることを特徴とする請求項１または２に記載の健康管理システム。
【請求項７】
被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、該計測血糖値データを該計測月日とともに毎日該記憶手段に記憶するステップと、該計測血糖値データが連続日数閾値を越えた場合にアラーム表示するステップと、該医療サイトおよび／または管理栄養士のサイトに計測血糖値のトレンドデータとして自動送信するステップとからなることを特徴とする健康管理システム。
【請求項８】
被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、該計測血糖値データを該計測月日、時間とともに毎日該記憶手段に記憶するステップと、該計測血糖値データは医療サイトおよび／または健康管理支援サイトのサーバーに自動送信するステップと、該計測血糖値データが所定日数閾値を越えた場合にアラーム表示するステップと、該被検者に計測血糖値のトレンドデータとして自動送信するステップとからなることを特徴とする健康管理システム。  
【請求項９】
前記アラーム表示するステップが行われた場合、該医療サイトから健康食品の指示データが該被検者に送信されるステップをさらに含むことを特徴とする請求項７または８に記載の健康管理システム。
【請求項１０】
前記アラーム表示するステップが行われた場合、該医療サイトからカロリー演算された糖尿病食事メニューのデータが該被検者に送信されるステップをさらに含むことを特徴とする請求項７または８に記載の健康管理システム。
【請求項１１】
前記医療サイトは、前記被検者から送信されてきた計測血糖値データと過去に蓄積した当該患者の計測血糖値のトレンドデータ並びに過去の療歴データを、前記栄養士のサイトに送信するステップをさらに含むように構成されていることを特徴とする請求項７または８に記載の健康管理システム。
【請求項１２】
前記計測血糖データは、起床直後，食前，食後２時間後の血糖値のうち少なくともいずれかであることを特徴とする請求項７または８に記載の健康管理システム。
【請求項１３】
被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、該計測血糖値データを該計測月日とともに毎日該記憶手段に記憶するステップのプログラムコードと、該計測血糖値データが連続日数閾値を越えた場合にアラーム表示するステップのプログラムコードと、該医療サイトおよび／または管理栄養士のサイトに計測血糖値のトレンドデータとして自動送信するステップのプログラムコードとからなることを特徴とする健康管理システムを制御するコンピュータ可読記憶媒体。
【請求項１４】
被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、該計測血糖値データを該計測月日、時間とともに毎日該記憶手段に記憶するステップのプログラムコードと、該計測血糖値データは医療サイトおよび／または健康管理支援サイトのサーバーに自動送信するステップのプログラムコードと、該計測血糖値データが所定日数閾値を越えた場合にアラーム表示するステップのプログラムコードと、該被検者に計測血糖値のトレンドデータとして自動送信するステップのプログラムコードとからなることを特徴とする健康管理システムを制御するプログラムが記憶されたコンピュータ可読記憶媒体。  
【請求項１５】
前記アラーム表示するステップが行われた場合、該医療サイトから健康食品の指示データが該被検者に送信されるステップのプログラムコードをさらに含むことを特徴とする請求項１３または１４に記載の健康管理システムを制御するプログラムが記憶されたコンピュータ可読記憶媒体。
【請求項１６】
前記アラーム表示するステップが行われた場合、該医療サイトからカロリー演算された糖尿病食事メニューのデータが該被検者に送信されるステップのプログラムコードをさらに含むことを特徴とする請求項１３または１４に記載の健康管理システムを制御するプログラムが記憶されたコンピュータ可読記憶媒体。
【請求項１７】
前記医療サイトは、前記被検者から送信されてきた計測血糖値データと過去に蓄積した当該患者の計測血糖値のトレンドデータ並びに過去の療歴データを、前記栄養士のサイトに送信するステップをさらに含むように構成されていることを特徴とする請求項１３または１４に記載の健康管理システムを制御するプログラムが記憶されたコンピュータ可読記憶媒体。
【請求項１８】
前記計測血糖データは、起床直後，食前，食後２時間後の血糖値のうち少なくともいずれかであることを特徴とする請求項１３または１４に記載の健康管理システムを制御するプログラムが記憶されたコンピュータ可読記憶媒体。
【発明の詳細な説明】
【技術分野】
【０００１】
本発明は、健康管理システム、より詳細には血糖データをトレンドデータとして管理する健康管理システムに関する。
【背景技術】
【０００２】
従来、この種の健康管理システムにあっては、特開２０００−８３９０７号公報(特許文献１)、特開２００１−２９７１５７号公報(特許文献２)に示されるように、生体情報測定装置と、その測定情報を収集した測定情報をサーバーへ送信する装置で構成することが一般的であった。この公報の装置を用いた健康管理システムでは、生体情報測定装置として、血圧計，心電計，体温計，血糖計等を備えた構成としている。また、デスィスプレイ，スピーカ，マイク等も内蔵している。また、サーバーから、健康アドバイス情報を受けるようにした健康管理支援システムも提案されている提案されている(特開２００３−２４５２５４号公報：特許文献３)。
【０００３】
使用者(被検者，患者)は、生体情報測定装置で測定した体温，血圧といった測定情報は、電話回線等の通信網で接続されている医療機関等に設置したサーバーに送信され、その送信された測定情報を基に医療機関等で判断し、使用者の健康状態や推奨する食事の内容等の健康アドバイス情報を、予め登録された使用者に送信したり、予め登録された使用者の電話番号に電話したり、あるいは登録された住所に書簡等を送付することによって健康管理サービスが行われている(特開２００３−１８０６３７号公報：特許文献４)。
【特許文献１】特開２０００−８３９０７号公報
【特許文献２】特開２００１−２９７１５７号公報
【特許文献３】特開２００３−２４５２５４号公報
【特許文献４】特開２００３−１８０６３７号公報
【発明の開示】
【発明が解決しようとする課題】
【０００４】
しかしながら、従来の健康管理システムでは、生体情報収集装置は、在宅において使用者(被検者，患者)は、生体情報測定装置で測定した血糖値などの生体情報を測定の度毎に収集し、医療機関生体(医療用サイト)に送信し、アドバイスを受けるもので利用者にとって煩わしいものであった。
【０００５】
本発明は、上記従来の課題を解決するためになされたもので、計測された血糖値を使用者毎にトレンド記憶し、連続日数閾値を越えるとアラーム表示し、医療機関(医療サイト)に自動送信するようにした健康管理システムを提供することを目的としている。
【課題を解決するための手段】
【０００６】
上記目的を達成するために、本発明の健康管理システムは、被検者(患者)自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、計測血糖値データを計測月日とともに毎日記憶手段に記憶し、計測血糖値データが連続日数閾値を越えた場合にアラーム表示するとともに医療サイトおよび／または管理栄養士のサイトに計測血糖値のトレンドデータとして自動送信することを特徴とする。また、被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、計測血糖値データを該計測月日、時間とともに毎日記憶手段に記憶し、計測血糖値データは医療サイトおよび／または健康管理支援サイトのサーバーに自動送信され、計測血糖値データが所定日数閾値を越えた場合にアラーム表示するとともに被検者に計測血糖値のトレンドデータとして自動送信することを特徴とする。また、アラーム表示が行われた場合、医療サイトから健康食品の指示データが被検者に送信されることを特徴とする。アラーム表示が行われた場合、医療サイトからカロリー演算された糖尿病食事メニューのデータが被検者に送信されることを特徴とする。また、医療サイトは、被検者から送信されてきた計測血糖値データと過去に蓄積した当該患者の計測血糖値のトレンドデータ並びに過去の療歴データを、栄養士のサイトに送信するように構成されていることを特徴とする。また、計測血糖データは、起床直後，食前２時間後の血糖値のうち少なくともいずれかであることを特徴とする。に計測血糖値のトレンドデータとして自動送信することを特徴とする。被検者自身で計測可能で携帯電話の機能も有する血糖測定装置に、計測月日，計測血糖値データ及び携帯電話番号／識別情報を含む被検者情報を医療サイトのコンピュータへと送信可能な通信手段を設け、計測血糖値データを該計測月日、時間とともに毎日記憶手段に記憶し、計測血糖値データは医療サイトおよび／または健康管理支援サイトのサーバーに自動送信され、計測血糖値データが所定日数閾値を越えた場合にアラーム表示するとともに被検者に計測血糖値のトレンドデータとして自動送信することを特徴とする。アラーム表示が行われた場合、医療サイトから健康食品の指示データが被検者に送信されることを特徴とする。アラーム表示が行われた場合、医療サイトからカロリー演算された糖尿病食事メニューのデータが被検者に送信されることを特徴とする。医療サイトは、被検者から送信されてきた計測血糖値データと過去に蓄積した当該患者の計測血糖値のトレンドデータ並びに過去の療歴データを、栄養士に送信するように構成されていることを特徴とする。計測血糖データは、起床直後，食前，食後２時間後の血糖値のうち少なくともいずれかであることを特徴とする。また、本発明の健康管理システムは、被検者自身で計測可能で携帯電話の機能も有する血糖測定装置に、計測月日，計測血糖値データ及び携帯電話番号／識別情報を含む被検者情報を医療サイトのコ���ピュータへと送信可能な通信手段、記憶手段を設け、計測血糖値データを計測月日とともに毎日記憶手段に記憶するステップと、計測血糖値データが連続日数閾値を越えた場合にアラーム表示するステップと、医療サイトおよび／または管理栄養士のサイトに計測血糖値のトレンドデータとして自動送信するステップとからなることを特徴とする。また、被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、計測血糖値データを計測月日、時間とともに毎日記憶手段に記憶するステップと、計測血糖値データは医療サイトおよび／または健康管理支援サイトのサーバーに自動送信するステップと、計測血糖値データが所定日数閾値を越えた場合にアラーム表示するステップと、被検者に計測血糖値のトレンドデータとして自動送信するステップとからなることを特徴とする。  また、アラーム表示するステップが行われた場合、医療サイトから健康食品の指示データが被検者に送信されるステップをさらに含むことを特徴とする。また、アラーム表示するステップが行われた場合、医療サイトからカロリー演算された糖尿病食事メニューのデータが被検者に送信されるステップをさらに含むことを特徴とする。また、医療サイトは、被検者から送信されてきた計測血糖値データと過去に蓄積した当該患者の計測血糖値のトレンドデータ並びに過去の療歴データを、栄養士のサイトに送信するステップをさらに含むように構成されていることを特徴とする。また、計測血糖データは、起床直後，食前，食後２時間後の血糖値のうち少なくともいずれかであることを特徴とする。また、本発明の健康管理システムを制御するコンピュータ可読記憶媒体は、被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、該計測血糖値データを該計測月日とともに毎日記憶手段に記憶するステップのプログラムコードと、計測血糖値データが連続日数閾値を越えた場合にアラーム表示するステップのプログラムコードと、医療サイトおよび／または管理栄養士のサイトに計測血糖値のトレンドデータとして自動送信するステップのプログラムコードとからなることを特徴とする。また、被検者自身で計測可能で携帯電話の機能も有する血糖測定装置に、計測月日，計測血糖値データ及び携帯電話番号／識別情報を含む被検者情報を医療サイトのコンピュータへと送信可能な通信手段、記憶手段を設け、計測血糖値データを計測月日、時間とともに毎日記憶手段に記憶するステップのプログラムコードと、計測血糖値データは医療サイトおよび／または健康管理支援サイトのサーバーに自動送信するステップのプログラムコードと、計測血糖値データが所定日数閾値を越えた場合にアラーム表示するステップのプログラムコードと、被検者に計測血糖値のトレンドデータとして自動送信するステップのプログラムコードとからなることを特徴とする。また、アラーム表示するステップが行われた場合、医療サイトから健康食品の��示データが被検者に送信されるステップのプログラムコードをさらに含むことを特徴とする。また、アラーム表示するステップが行われた場合、医療サイトからカロリー演算された糖尿病食事メニューのデータが該被検者に送信されるステップのプログラムコードをさらに含むことを特徴とする。また、医療サイトは、被検者から送信されてきた計測血糖値データと過去に蓄積した当該患者の計測血糖値のトレンドデータ並びに過去の療歴データを、栄養士のサイトに送信するステップをさらに含むように構成されていることを特徴とする。また、計測血糖データは、起床直後，食前，食後２時間後の血糖値のうち少なくともいずれかであることを特徴とする。
【発明の効果】
【０００７】
本発明によれば、計測された血糖値を使用者毎にトレンド記憶し、連続日数閾値を越えるとアラーム表示し、医療機関(医療サイト)に自動送信するようにした健康管理システムを提供することができる。また、好ましい食事メニューについても容易に照会し、配送の依頼を行うことが可能な健康管理システムを提供することができる。
【発明を実施するための最良の形態】
【０００８】
以下、図面に基づき詳述する。図１は、本発明の健康管理システムの全体システムを示すものである。１は被検者(使用者)サイト、２は健康管理支援サイト、３は医療サイト、４は管理栄養士サイト、５は電話回線，インターネット等の情報通信ネットワーク、１０,２０,３０,４０はコンピュータ、１０ａ,２０ａ,３０ａ,４０ａはＣＰＵ、１１,２１,３１,４１は外部通信部、１２,２２,３２,４２は表示部、１３,２３,３３,４３は入力部、１４,２４,３４,４４は記憶部、１６,３６,４６はサーバー、１６０は、ｉモード（登録商標）の通信機能(携帯電話機能)を有する血糖計等の生体情報測定装置である。
【０００９】
図２は、生体情報測定装置１６０としてのｉモード（登録商標）の通信機能(携帯電話機能)を有する血糖計であり、図２(ａ)は、その概観斜視図、図２（ｂ）は、その上面図である。１６０ｂは電源ＯＮ／ＯＦＦスイッチ、１６０ｃは記憶部１６４に記憶された血糖値などのトレンド値を呼出し、表示部１６２に表示させるための記憶呼出スイッチである。表示部１６２は、血圧値、そのトレンド情報等を表示する。１６３は、入力部(テンキー)、１６７は血糖値測定部である。
【００１０】
図３は、血糖計１６０の表示部１６２に表示される情報で、図３(ａ)は、血糖値のトレンド値を、図３（ｂ）は血糖値のトレンドグラフを、図３(ｃ)は、健康アドバイス情報、図３（ｄ）は、お勧め食事メニュー情報をそれぞれ示す画面である。  
【００１１】
使用者は、まず、起床直後，食前，食後２時間後の血糖値のうち少なくともいずれかの時間に、血糖計１６０の血糖値測定部に穿刺部を有する血糖値測定キット(不図示)を装着し、電源スイッチ１６０ｂをＯＮし、血糖計１６０を押圧することにより、穿刺部から微量の血液が血糖値測定部１６７に吸引される。吸引された血液の血糖値は、所定の測定方法(電極式，比色式，呈色式等)で１０数秒間測定される。その測定結果(ｍｇ／ｄｌ)は、表示部１６２に、測定月日、時間とともに表示される。血糖値は、測定年月日、時間よりも大きく３けたで表示される(図２(ｂ)の表示部１６２参照)。なお、血糖値測定部は、上述の低侵襲式に限らず、非侵襲式の血糖値測定部であってもよい。
【００１２】
記憶部１６４には、測定年月日、時間とともに、服用薬の服用の有無、起床直後，食前，食後２時間後のどの血糖値であるか、インスリン注射の有無などのイベント(メモ)記録，体重等とともに所定の閾値(例えば１１０ｍｇ／ｄｌ)と比較して所定日数分、例えば３６５日分順次記憶される。また、過去の病歴、既往症なども合わせて記憶されている。これらのデータは、健康管理支援サイト２、医療サイト３のサーバー３６、管理栄養士サイト４のサーバー３６にも自動送信されるようになっている。血糖値が所定連続日数(例えば１週間)、所定の閾値(例えば１００ｍｇ／ｄｌ)を越えた場合、図３(ａ)に示す血糖値のトレンド値または図３（ｂ）に示す血糖値のトレンドグラフとともに「血糖値が閾値を越えています。担当の医師にご相談ください。」等のアラーム情報を表示部１６２に表示する。また、合成音声を合わせてアラームしてもよい。また、このアラーム情報は、外部通信部１６１を介して使用者サイト１のコンピュータ１０の外部通信部１１を介して情報通信ネットワーク５を経由したり、外部通信部１６１を介して携帯電話機能(ｉモード（登録商標）)により、医療用サイト３のサーバー３６及び／または管理栄養士サイト４のサーバー４６に携帯電話番号／識別番号(ＩＤ番号)と共に送信され、記憶される。こうして、記憶部１６４は多くの記憶容量を必要とすることがない。
【００１３】
また、このアラーム情報は、外部通信部１６１を介して使用者サイト１のコンピュータ１０の外部通信部１１を介して情報通信ネットワーク５を経由したり、外部通信部１６１を介して携帯電話機能(ｉモード（登録商標）)により、医療用サイト３のサーバー３６及び／または健康管理支援サイト２のサーバー２６に携帯電話番号／識別番号(ＩＤ番号)と共に送信され、記憶される。
【００１４】
血糖値が所定連続日数(例えば１週間)、所定の閾値(例えば１００ｍｇ／ｄｌ)を越えた場合、医療サイト３及び／または管理栄養士サイト４では、健康管理支援サイト２にアクセスし、健康食品データ(特定健康保険食品のデータを含む)，食事メニューなどを検索する。検索条件としては、１日分の費用、カロリー(ｋｃａｌ)などである。検索されたデータは、情報通信ネットワーク５を介して医療サイト３に送信され、表示部３２で担当医が確認できるようになっている。
【００１５】
使用者が糖尿病患者である場合には、担当医が表示部３２で確認した後、使用者サイト１に送信され、表示部１６２または表示部１２に表示された健康食品，食事メニュー(１日分または１週間分)などを選択し、健康管理支援サイト２に発送を依頼することが可能となる。また、使用者は、表示部１６２または表示部３２に表示された食事メニューを使用者自身またはその家族等により作ってもらい、その食事を摂取することも可能である。
【図面の簡単な説明】
【００１６】
【図１】本発明の健康管理システムの全体システムを示す図である。
【図２】情報測定装置としての通信機能(携帯電話機能)を有する血糖計を示す図である。
【図３】血糖計の表示部に表示される情報例を示すものである。
【符号の説明】
【００１７】
１  被検者サイト、２  健康管理支援サイト、３  医療サイト、４  管理栄養士サイト、５  情報通信ネットワーク、１０,２０,３０,４０  コンピュータ、１０ａ,２０ａ,３０ａ,４０ａ  ＣＰＵ、１１,２１,３１,４１  外部通信部、１２,２２,３２,４２，１６２表示部、１３,２３,３３,４３  入力部、１４,２４,３４,４４  記憶部、１６,３６４６  サーバー、１６０  生体情報測定装置(血糖計)
【図１】
0004477885.tif 000002
【図２】
0004477885.tif 000003
【図３】
0004477885.tif 000004